Podtech/llm-jp-corpus-v4-ja_patent huggingface dataset:
【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
画像形成装置と情報処理装置とを有し、
前記画像形成装置は、
ユーザを認証する認証手段と、
前記認証手段により認証されたユーザに対して、記録媒体に一又は複数の第１画像を形成するサービスを提供する提供手段と、
前記ユーザに対して提供された前記サービスの履歴を示す情報を前記情報処理装置に送信する送信手段と、
前記第１画像から生成されたサムネイルと前記履歴を識別する識別子とを含む第２画像を出力する出力手段と、前記第１画像が形成された記録媒体とは異なる記録媒体に形成する形成手段と
を有し、
前記情報処理装置は、
前記画像形成装置により送信された前記情報を記憶する記憶手段
を有する通信システム。
【請求項２】
前記画像形成装置は、
前記第２画像を前記第１画像が形成された記録媒体とは異なる記録媒体に形成する形成手段をさらに有する
ことを特徴とする請求項１に記載の通信システム。
【請求項３】
前記画像形成装置は、
前記第２画像を生成する生成手段であって、前記サービスにおいて記録媒体に形成された前記第１画像の数が予め定められた第１閾値を上回る場合、前記サムネイルの少なくとも一部が重ねて表示された前記第２画像を生成する生成手段を有し、
前記形成手段は、前記生成手段により生成された前記第２画像を一枚の記録媒体に形成する
ことを特徴とする請求項２に記載の通信システム。
【請求項４】
前記生成手段は、前記第１画像の数が前記第１閾値よりも大きい第２閾値を上回る場合、前記サムネイルの一部が間引かれた前記第２画像を生成する
ことを特徴とする請求項３に記載の通信システム。
【請求項５】
前記生成手段は、前記第１画像の数が前記第１閾値以下である場合、前記サムネイルの全てが重ならずに表示された前記第２画像を生成する
ことを特徴とする請求項３又は４に記載の通信システム。
【請求項６】
ユーザを認証する認証手段と、
前記認証手段により認証されたユーザに対して、記録媒体に一又は複数の第１画像を形成するサービスを提供する提供手段と、
前記ユーザに対して提供された前記サービスの履歴を示す情報を外部装置に送信する送信手段と、
前記第１画像から生成されたサムネイルと前記履歴を識別する識別子とを含む第２画像を、前記第１画像が形成された記録媒体とは異なる記録媒体に形成する形成手段と
を有する画像形成装置。
【請求項７】
画像形成部を有するコンピュータに、
ユーザを認証するステップと、
認証されたユーザに対して、記録媒体に一又は複数の第１画像を形成するサービスを前記画像形成部が提供するステップと、
前記ユーザに対して提供された前記サービスの履歴を示す情報を外部装置に送信するステップと、
前記第１画像から生成されたサムネイルと前記履歴を識別する識別子とを含む第２画像を出力するステップと
を実行させるためのプログラム。
【手続補正２】
【補正対象書類名】明細書
【補正対象項目名】０００５
【補正方法】変更
【補正の内容】
【０００５】
請求項１に係る通信システムは、画像形成装置と情報処理装置とを有し、前記画像形成装置は、ユーザを認証する認証手段と、前記認証手段により認証されたユーザに対して、記録媒体に一又は複数の第１画像を形成するサービスを提供する提供手段と、前記ユーザに対して提供された前記サービスの履歴を示す情報を前記情報処理装置に送信する送信手段と、前記第１画像から生成されたサムネイルと前記履歴を識別する識別子とを含む第２画像を出力する出力手段と、前記第１画像が形成された記録媒体とは異なる記録媒体に形成する形成手段とを有し、前記情報処理装置は、前記画像形成装置により送信された前記情報を記憶する記憶手段を有する。
請求項２に係る通信システムは、請求項１に記載の構成において、前記画像形成装置は、前記第２画像を前記第１画像が形成された記録媒体とは異なる記録媒体に形成する形成手段をさらに有することを特徴とする。
【手続補正３】
【補正対象書類名】明細書
【補正対象項目名】０００６
【補正方法】変更
【補正の内容】
【０００６】
請求項３に係る通信システムは、請求項２に記載の構成において、前記画像形成装置は、前記第２画像を生成する生成手段であって、前記サービスにおいて記録媒体に形成された前記第１画像の数が予め定められた第１閾値を上回る場合、前記サムネイルの少なくとも一部が重ねて表示された前記第２画像を生成する生成手段を有し、前記形成手段は、前記生成手段により生成された前記第２画像を一枚の記録媒体に形成することを特徴とする。
【手続補正４】
【補正対象書類名】明細書
【補正対象項目名】０００７
【補正方法】変更
【補正の内容】
【０００７】
請求項４に記載の通信システムは、請求項３に記載の構成において、前記第１画像の数が前記第１閾値よりも大きい第２閾値を上回る場合、前記サムネイルの一部が間引かれた前記第２画像を生成することを特徴とする。
【手続補正５】
【補正対象書類名】明細書
【補正対象項目名】０００８
【補正方法】変更
【補正の内容】
【０００８】
請求項５に記載の通信システムは、請求項３又は４に記載の構成において、前記第１画像の数が前記第１閾値以下である場合、前記サムネイルの全てが重ならずに表示された前記第２画像を生成することを特徴とする。
【手続補正６】
【補正対象書類名】明細書
【補正対象項目名】０００９
【補正方法】変更
【補正の内容】
【０００９】
請求項６に記載の画像形成装置は、ユーザを認証する認証手段と、前記認証手段により認証されたユーザに対して、記録媒体に一又は複数の第１画像を形成するサービスを提供する提供手段と、前記ユーザに対して提供された前記サービスの履歴を示す情報を外部装置に送信する送信手段と、前記第１画像から生成されたサムネイルと前記履歴を識別する識別子とを含む第２画像を、前記第１画像が形成された記録媒体とは異なる記録媒体に形成する形成手段とを有する。
【手続補正７】
【補正対象書類名】明細書
【補正対象項目名】００１０
【補正方法】変更
【補正の内容】
【００１０】
請求項７に記載のプログラムは、画像形成部を有するコンピュータに、ユーザを認証するステップと、認証されたユーザに対して、記録媒体に一又は複数の第１画像を形成するサービスを前記画像形成部が提供するステップと、前記ユーザに対して提供された前記サービスの履歴を示す情報を外部装置に送信するステップと、前記第１画像から生成されたサムネイルと前記履歴を識別する識別子とを含む第２画像を出力するステップとを実行させる。
【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
遊技領域に到達した後、いずれの入球口にも入球しなかった全ての遊技球が入球する前記遊技領域最下部のアウト口と、
内部に特定領域が形成された前記入球口であって、開放時に入球が可能となる１又は複数の可変入球口と、
作動領域に遊技球が進入したことに応じて、前記可変入球口を開放する開放遊技を行う開放遊技手段と、
前記アウト口の上方に設けられ、当該領域に到達した遊技球は、当該領域を通過した後に前記アウト口に入球する前記遊技領域下部の始動領域と、
遊技球が前記始動領域に進入したことに起因して当否判定を行う当否判定手段と、
前記開放遊技において遊技球が前記特定領域に進入した場合、複数のラウンドにわたって、前記開放遊技で開放されるものと同一の又は異なる前記可変入球口を開放する第１特別遊技を行うと共に、前記当否判定で当りになった場合、複数のラウンドにわたって、前記第１特別遊技で開放されるものと同一の又は異なる前記可変入球口を開放する第２特別遊技を行う特別遊技手段と、を備え、
前記第１特別遊技は、前記第２特別遊技よりも多くの賞球を獲得可能となっていること、
を特徴とする弾球遊技機。
【請求項２】
請求項１に記載の弾球遊技機において、
前記特別遊技手段は、前記第１特別遊技における最後ではないラウンドでは、遊技球が前記特定領域に進入した場合には、次のラウンドに進み、遊技球が前記特定領域に進入しなかった場合には、当該ラウンドで当該第１特別遊技を終了すると共に、前記第２特別遊技における最後ではないラウンドでは、遊技球が前記特定領域に進入したか否かに関わらず次のラウンドに進み、
前記特別遊技において、前記可変入球口への入球が容易となる程度の期間にわたって前記可変入球口が開放されるラウンドを、開放ラウンドとし、
前記第１特別遊技における前記開放ラウンドの数は、前記第２特別遊技における前記開放ラウンドの数よりも多いこと、
を特徴とする弾球遊技機。
【手続補正２】
【補正対象書類名】明細書
【補正対象項目名】０００６
【補正方法】変更
【補正の内容】
【０００６】
上記課題に鑑みてなされた請求項１に係る発明は、遊技領域に到達した後、いずれの入球口にも入球しなかった全ての遊技球が入球する遊技領域最下部のアウト口と、内部に特定領域が形成された前記入球口であって、開放時に入球が可能となる１又は複数の可変入球口と、作動領域に遊技球が進入したことに応じて、可変入球口を開放する開放遊技を行う開放遊技手段と、アウト口の上方に設けられ、当該領域に到達した遊技球は、当該領域を通過した後にアウト口に入球する遊技領域下部の始動領域と、遊技球が始動領域に進入したことに起因して当否判定を行う当否判定手段と、開放遊技において遊技球が特定領域に進入した場合、複数のラウンドにわたって、開放遊技で開放されるものと同一の又は異なる可変入球口を開放する第１特別遊技を行うと共に、当否判定で当りになった場合、複数のラウンドにわたって、第１特別遊技で開放されるものと同一の又は異なる可変入球口を開放する第２特別遊技を行う特別遊技手段と、を備え、第１特別遊技は、第２特別遊技よりも多くの賞球を獲得可能となっていること、を特徴とする弾球遊技機に関するものである。
【手続補正３】
【補正対象書類名】明細書
【補正対象項目名】０００８
【補正方法】変更
【補正の内容】
【０００８】
一方、アウト口の上方に始動領域が設けられているため、いずれの入球口にも入球しなかった遊技球（アウト口に入球する遊技球）を高い頻度で始動領域に進入させ、これに起因して当否判定を行うことが可能となる。つまり、開放遊技や第１特別遊技を開始させることに失敗しても、第２特別遊技が行われる可能性が残っており、遊技者の意表をついて利益を与えることができるため、遊技球が作動領域や可変入球口に進入する頻度が低くても遊技者を楽しませることができる。
【手続補正４】
【補正対象書類名】明細書
【補正対象項目名】００１２
【補正方法】変更
【補正の内容】
【００１２】
また、特別遊技手段は、第１特別遊技が開始された後には、遊技球が特定領域に進入したか否かに関わらず次のラウンドに進むと共に、第２特別遊技では、遊技球が特定領域に進入した場合には、次のラウンドに進み、遊技球が特定領域に進入しなかった場合には、当該ラウンドで第２特別遊技を終了しても良い。
【手続補正５】
【補正対象書類名】明細書
【補正対象項目名】００１４
【補正方法】変更
【補正の内容】
【００１４】
また、特別遊技において、可変入球口への入球が容易となる程度の期間にわたって可変入球口が開放されるラウンドを、開放ラウンドとし、第１特別遊技における開放ラウンドの数は、第２特別遊技における開放ラウンドの数と同一であっても良い。
【手続補正６】
【補正対象書類名】明細書
【補正対象項目名】００１５
【補正方法】変更
【補正の内容】
【００１５】
このような構成によれば、第２特別遊技では、より確実に第１特別遊技に比べ賞球数を抑えることができ、遊技者に過剰な利益が付与されるのを防止できる。
また、弾球遊技機は、開放時に入球頻度が高くなる入球口である普通電動役物と、遊技球が始動領域に進入すると、普図当否判定を行う普図当否判定手段と、普図当否判定で当ると、普通電動役物を開放する開放手段と、をさらに備え、特図当否判定手段は、普通電動役物に遊技球が入球したことに応じて特図当否判定を行っても良い。
【手続補正７】
【補正対象書類名】明細書
【補正対象項目名】００１６
【補正方法】変更
【補正の内容】
【００１６】
このような構成によれば、遊技球の挙動により遊技者を楽しませることができる。
また、弾球遊技機は、外部からの指示に応じて、普図当否判定で当る確率を設定する普図設定手段をさらに備えていても良い。
【手続補正８】
【補正対象書類名】明細書
【補正対象項目名】００１８
【補正方法】変更
【補正の内容】
【００１８】
また、弾球遊技機は、外部からの指示に応じて、特図当否判定で当る確率を設定する特図設定手段をさらに備えていても良い。
このような構成によれば、特図当否判定で当る確率を設定することで、釘調整を行うことなく遊技者に付与される利益を調整できる。このため、釘調整が行われるのを抑制できる。
【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
遊技領域に到達した後、いずれの入球口にも入球しなかった全ての遊技球が入球する前記遊技領域最下部のアウト口と、
内部に特定領域が形成された前記入球口であって、開放時に入球が可能となる第１可変入球口と、
開放時に入球頻度が高くなる前記入球口である普通電動役物と、
遊技球が始動領域に進入すると、普図当否判定を行う普図当否判定手段と、
前記普図当否判定で当ると、前記普通電動役物を開放する開放手段と、
前記普通電動役物に遊技球が入球したことに応じて、特図当否判定を行う特図当否判定手段と、
前記特図当否判定で小当りになったことに応じて、前記第１可変入球口を開放する開放遊技を行う開放遊技手段と、
前記開放遊技において遊技球が前記特定領域に進入した場合と、前記特図当否判定で大当りになった場合とに、前記入球口である第２可変入球口を開放する特別遊技を行う特別遊技手段と、を備え、
前記始動領域を遊技球が通過するゲートとして構成し、該ゲートを前記アウト口の上方であって、該ゲートを通過した遊技球は全て前記他の入球口に入球することがない位置に配置した、ことを特徴とする弾球遊技機。
【請求項２】
請求項１に記載の弾球遊技機において、
外部からの指示に応じて、前記普図当否判定で当る確率を設定する普図設定手段をさらに備えること、
を特徴とする弾球遊技機。
【請求項３】
請求項１に記載の弾球遊技機において、
外部からの指示に応じて、前記特図当否判定で大当り又は小当りになる確率を設定する特図設定手段をさらに備えること、
を特徴とする弾球遊技機。  
【手続補正２】
【補正対象書類名】明細書
【補正対象項目名】０００６
【補正方法】変更
【補正の内容】
【０００６】
上記課題に鑑みてなされた請求項１に係る発明は、遊技領域に到達した後、いずれの入球口にも入球しなかった全ての遊技球が入球する遊技領域最下部のアウト口と、内部に特定領域が形成された入球口であって、開放時に入球が可能となる第１可変入球口と、開放時に入球頻度が高くなる入球口である普通電動役物と、遊技球が始動領域に進入すると、普図当否判定を行う普図当否判定手段と、普図当否判定で当ると、普通電動役物を開放する開放手段と、普通電動役物に遊技球が入球したことに応じて、特図当否判定を行う特図当否判定手段と、特図当否判定で小当りになったことに応じて、第１可変入球口を開放する開放遊技を行う開放遊技手段と、開放遊技において遊技球が特定領域に進入した場合と、特図当否判定で大当りになった場合とに、入球口である第２可変入球口を開放する特別遊技を行う特別遊技手段と、を備え、始動領域を遊技球が通過するゲートとして構成し、ゲートをアウト口の上方であって、ゲートを通過した遊技球は全て他の入球口に入球することがない位置に配置した、ことを特徴とする弾球遊技機に関するものである。
【手続補正３】
【補正対象書類名】明細書
【補正対象項目名】０００７
【補正方法】変更
【補正の内容】
【０００７】
このような構成によれば、アウト口の上方に始動領域が設けられているため、いずれの入球口にも入球しなかった遊技球（アウト口に入球する遊技球）を高い頻度で始動領域に進入させ、これに起因して特図当否判定を行うことが可能となる。
始動領域であるゲートを通過した遊技球は、全て他の入球口に入球しないので、高い頻度でゲートに遊技球を進入させることができる。
【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
各プレイヤーに対応付けて各自所有するゲームポイントが設定されたプレイヤー情報を記憶する記憶部と、
プレイヤーが対戦相手と対戦する対戦ゲームについて勝敗を決定する対戦処理部と、
プレイヤーが自分よりも多量のゲームポイントを所有する対戦相手との対戦に勝利したときに獲得できるゲームポイントが、自分よりも少量のゲームポイントを所有する対戦相手との対戦に勝利したときに獲得できるゲームポイントよりも多くなるように、対戦に勝利したときの前記プレイヤーのゲームポイントを増加させるポイント変動処理部と、
プレイヤーが所有するゲームポイントを減少させることによって、対戦に関して前記プレイヤーをサポートするサポート機能を拡張するサポート機能拡張処理部と、
対戦中に前記サポート機能を所定の確率に基づいて発動させるサポート機能発動処理部と、
を備えたことを特徴とする情報処理装置。
【請求項２】
請求項１に記載の情報処理装置であって、
前記サポート機能拡張処理部は、前記プレイヤーが自分のゲームポイントの中から指定したポイント量を減少させることによって、対戦相手に対する攻撃のみに有効なサポート機能を拡張する、
ことを特徴とする情報処理装置。
【請求項３】
請求項１又は２に記載の情報処理装置であって、
前記サポート機能拡張処理部は、複数種類のサポート機能のうち前記プレイヤーによって指定されたサポート機能を拡張し、
前記サポート機能発動処理部は、前記プレイヤーの指定によらず、複数種類のサポート機能のうちのいずれかのサポート機能を所定の確率に基づいて発動させる、
ことを特徴とする情報処理装置。
【請求項４】
請求項１乃至３のいずれかに記載の情報処理装置であって、
前記ポイント変動処理部は、
対戦開始時に、前記プレイヤーの所有するゲームポイントに応じたポイント量を減少させ、
対戦終了時に、対戦に勝利した前記プレイヤーの所有するゲームポイントを増加させると共に、対戦に敗北した前記対戦相手の所有するゲームポイントを減少させる、
ことを特徴とする情報処理装置。
【請求項５】
請求項４に記載の情報処理装置であって、
前記ポイント変動処理部は、勝利した前記プレイヤーの所有するゲームポイントを増加させた際に、プレイヤーが所有できるゲームポイントの上限を超えた分のポイント量を、前記プレイヤーの所有する特別ゲームポイントとして増加させ、
前記サポート機能拡張処理部は、前記プレイヤーが自分の特別ゲームポイントの中から指定したポイント量を減少させることによって、サポート機能を拡張する、
ことを特徴とする情報処理装置。
【請求項６】
コンピューターに、
各プレイヤーに対応付けて各自所有するゲームポイントが設定されたプレイヤー情報を記憶部に記憶する処理と、
プレイヤーが対戦相手と対戦する対戦ゲームについて勝敗を決定する対戦処理と、
プレイヤーが自分よりも多量のゲームポイントを所有する対戦相手との対戦に勝利したときに獲得できるゲームポイントが、自分よりも少量のゲームポイントを所有する対戦相手との対戦に勝利したときに獲得できるゲームポイントよりも多くなるように、対戦に勝利したときの前記プレイヤーのゲームポイントを増加させるポイント変動処理と、
プレイヤーが所有するゲームポイントを減少させることによって、対戦に関して前記プレイヤーをサポートするサポート機能を拡張するサポート機能拡張処理と、
対戦中に前記サポート機能を所定の確率に基づいて発動させるサポート機能発動処理と、
を実行させることを特徴とするゲームプログラム。
【手続補正書】
【提出日】平成29年12月27日(2017.12.27)
【手続補正１】
【補正対象書類名】特許請求の範囲
【補正対象項目名】全文
【補正方法】変更
【補正の内容】
【特許請求の範囲】
【請求項１】
高速撹拌槽と、駆動機により回転される回転軸と、回転軸に連結され、前記高速撹拌槽内に配置された高速撹拌翼とを備えた高速撹拌装置を用いて汚泥を凝集する凝集方法であって、
汚泥及び第１の高分子凝集剤を前記高速撹拌槽内に供給しながら、前記高速撹拌翼を１０００ｍｉｎ−１以上の回転速度で回転させて前記汚泥と前記第１の高分子凝集剤を混合して混合汚泥を形成させる混合工程と、
前記混合汚泥及び第２の高分子凝集剤をフロック形成装置に供給しながら、前記フロック形成装置で前記混合汚泥と前記第２の高分子凝集剤を混合してフロックを形成させるフロック形成工程とを含み、
前記高速撹拌翼と前記高速撹拌槽内の回転軸とからなる回転体が回転することによって形成される回転領域の体積をＶａ［Ｌ］とし、前記高速撹拌槽を通過する前記汚泥の流量をＦｂ［Ｌ／秒］とすると、体積Ｖａの流量Ｆｂに対する比の値は０．１２以上であることを特徴とする凝集方法。
【請求項２】
前記回転領域の体積Ｖａは０．３Ｌ〜３Ｌであることを特徴とする請求項１に記載の凝集方法。
【請求項３】
前記フロック形成装置は、回転する反応槽を備えた遠心脱水機であり、
回転する前記反応槽内で前記混合汚泥と前記第２の高分子凝集剤を混合し、フロックを形成させることを特徴とする請求項１又は２に記載の凝集方法。
【請求項４】
高速撹拌槽と、駆動機により回転される回転軸と、回転軸に連結され、前記高速撹拌槽内に配置された高速撹拌翼とを有し、前記高速撹拌翼を１０００ｍｉｎ−１以上の回転速度で回転させて汚泥と第１の高分子凝集剤を混合して混合汚泥を形成させる高速撹拌装置と、
前記混合汚泥と前記第２の高分子凝集剤を混合してフロックを形成させるフロック形成装置とを備え、
前記高速撹拌翼と前記高速撹拌槽内の回転軸とからなる回転体が回転することによって形成される回転領域の体積をＶａ［Ｌ］とし、前記高速撹拌槽を通過する前記汚泥の流量をＦｂ［Ｌ／秒］とすると、体積Ｖａの流量Ｆｂに対する比の値は０．１２以上であることを特徴とする凝集装置。
【請求項５】
前記回転領域の体積Ｖａは０．３Ｌ〜３Ｌであることを特徴とする請求項４に記載の凝集装置。
【請求項６】
前記フロック形成装置は、回転する反応槽を備えた遠心脱水機であり、
回転する前記反応槽内で前記混合汚泥と前記第２の高分子凝集剤を混合し、フロックを形成させることを特徴とする請求項４又は５のいずれか一項に記載の凝集装置。
【手続補正書】
【提出日】平成30年4月24日(2018.4.24)
【手続補正１】
【補正対象書類名】明細書
【補正対象項目名】０００１
【補正方法】変更
【補正の内容】
【０００１】
本発明は、所定の始動条件の成立に伴い遊技を実行し、遊技者に特定の遊技価値を付与する制御手段を備えた遊技機に関する。
【手続補正２】
【補正対象書類名】明細書
【補正対象項目名】０００２
【補正方法】変更
【補正の内容】
【０００２】
遊技機に関し、始動条件の成立に伴い液晶表示器等からなる演出表示装置において所定のゲームを行い、そのゲームの結果に関連されて遊技者に遊技価値を付与する遊技機が提案されている（例えば、特許文献１参照）。
【手続補正３】
【補正対象書類名】明細書
【補正対象項目名】０００３
【補正方法】変更
【補正の内容】
【０００３】
そして、遊技制御装置には、遊技制御を司る遊技用マイコンを備え、該遊技用マイコンには入力ポートを接続し、遊技球の通過を検出する検出スイッチからの検出信号を入力ポートを介して遊技用マイコンへ送信するように構成されている。
【手続補正４】
【補正対象書類名】明細書
【補正対象項目名】０００４
【補正方法】変更
【補正の内容】
【０００４】
【特許文献１】特開２００２−２６３２９１号公報
【手続補正５】
【補正対象書類名】明細書
【補正対象項目名】０００５
【補正方法】変更
【補正の内容】
【０００５】
しかしながら、遊技機の開発中においては、検出スイッチ等の数が変更になる場合がある。
【手続補正６】
【補正対象書類名】明細書
【補正対象項目名】０００６
【補正方法】変更
【補正の内容】
【０００６】
そこで、本発明は、上記の事情に鑑みてなされたものであり、その目的は、開発中の検出スイッチ等の変更に対応し易い遊技機を提供しようとするものである。
【手続補正７】
【補正対象書類名】明細書
【補正対象項目名】０００７
【補正方法】変更
【補正の内容】
【０００７】
本発明は、上記目的を達成するために提案されたものであり、請求項１に記載のものは、所定の始動条件の成立に伴い遊技を実行し、遊技者に特定の遊技価値を付与する制御手段を備えた遊技機において、
前記制御手段は、
遊技を統括的に制御する演算処理手段と、
所定の事象を検出可能な複数の検出手段と、
前記複数の検出手段の検出結果を前記演算処理手段に伝達することが可能な入力伝達手段と、を備えたことを特徴とする遊技機である。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】変更
【補正の内容】
【００１０】
本発明によれば、遊技機の開発中の検出スイッチ等の変更に対応し易い。
【手続補正１１】
【補正対象書類名】明細書
【補正対象項目名】０２８２
【補正方法】変更
【補正の内容】
【０２８２】
すなわち、遊技制御装置（制御手段）３７０において、遊技用マイコン３７６が、遊技を統括的に制御する演算処理手段を構成する。また、第１始動入賞口３４７に入賞した遊技球を検出する始動口１スイッチ、および、第２始動入賞口３４８に入賞した遊技球を検出する始動口２スイッチ（いずれも図示せず）が、始動条件を成立させる起因となる事象を検出する検出手段を構成する。また、スイッチ入力回路３７９と入力ポート３７７とを接続する配線と、入力ポート３７７と、入力ポート３７７と遊技用マイコン３７６とを接続する配線と、遊技用マイコン３７６が備える入力端子（入力ポート３７７からの信号が入力される端子）とが、検出手段での検出結果を演算処理手段に伝達するための入力伝達手段を構成する。
【手続補正１２】
【補正対象書類名】特許請求の範囲
【補正対象項目名】全文
【補正方法】変更
【補正の内容】
【特許請求の範囲】
【請求項１】
所定の始動条件の成立に伴い遊技を実行し、遊技者に特定の遊技価値を付与する制御手段を備えた遊技機において、
前記制御手段は、
遊技を統括的に制御する演算処理手段と、
所定の事象を検出可能な複数の検出手段と、
前記複数の検出手段の検出結果を前記演算処理手段に伝達することが可能な入力伝達手段と、を備えたことを特徴とする遊技機。
【手続補正書】
【提出日】平成30年8月2日(2018.8.2)
【手続補正１】
【補正対象書類名】特許請求の範囲
【補正対象項目名】全文
【補正方法】変更
【補正の内容】
【特許請求の範囲】
【請求項１】
外箱と、
前記外箱に設けられ各種設定を行うための操作表示装置と、を備え、
前記操作表示装置は、
透光性を有する板材に表示部が中抜き印刷され、厚み方向に貫通して形成された開口部を有する飾りパネルと、
前記飾りパネルの裏面側に設けられ、前記飾りパネルに対するユーザからのタッチ操作を検出することが可能な検出部材と、
前記飾りパネルの裏面側に設けられ、点灯により前記表示部を表示させる表示用光源と、
少なくとも電源を入れるためのものであって、前記飾りパネルの裏面側に設けられ、ユーザからの押圧操作を受ける押圧部材を有し、前記押圧部材を前記開口部から外部へ露出させている機械式のスイッチ装置と、を有する、
洗濯機。
【請求項２】
外箱と、
前記外箱に設けられ各種設定を行うための操作表示装置と、を備え、
前記操作表示装置は、
タッチパネルディスプレイを含んで構成され、厚み方向に貫通して形成された開口部を有する飾りパネルと、
少なくとも電源を入れるためのものであって、前記飾りパネルの裏面側に設けられ、ユーザからの押圧操作を受ける押圧部材を有し、前記押圧部材を前記開口部から外部へ露出させている機械式のスイッチ装置と、を有する、
洗濯機。
【請求項３】
前記スイッチ装置は、
スイッチ本体と、
容器状に形成され、その容器状の底部の一方側に前記押圧部材が設けられ他方側に前記スイッチ本体が設けられるとともに、前記底部を貫いて形成された透光部を有するケース部材と、
前記スイッチ本体の入力部に対応し、周囲に前記底部の厚み方向に連通する連通部を有し前記底部の厚み方向へ移動可能に設けられ、前記押圧部材に入力された押圧力を前記入力部に伝達する伝達部と、
前記ケース部材に対して軸部を支点にして前記押圧部材の押圧方向へ回動可能なレバー部材と、
平面視において前記透光部と重なる位置に設けられ、前記押圧部材に光を照射するスイッチ用光源と、を更に有し、
前記レバー部材において前記押圧部材が設けられている部分又は前記押圧部材には、前記スイッチ用光源の点灯により表示される表示部が設けられている、
請求項１又は２に記載の洗濯機。
【請求項４】
前記スイッチ装置は、
スイッチ本体と、
容器状に形成され、その容器状の底部の一方側に前記押圧部材が設けられ他方側に前記スイッチ本体が設けられ、前記底部の厚み方向に連通する連通部を有するケース部材と、
前記スイッチ本体の入力部に対応し、前記底部の厚み方向へ移動可能に設けられ、前記押圧部材に入力された押圧力を前記入力部に伝達する伝達部と、
弾性を有する材料で構成され、前記押圧部材の押圧方向に対して前記伝達部と前記押圧部材との間に設けられ、前記連通部を覆うキャップ部材と、を有する、
請求項１又は２に記載の洗濯機。
【請求項５】
前記伝達部は、前記ケース部材又は前記キャップ部材と一体に形成されている、
請求項３又は４に記載の洗濯機。
【請求項６】
前記ケース部材は、前記底部に滴下した液体を前記スイッチ本体の側方を通って前記ケース部材の下方へ排水する排水部を更に有する、
請求項３から５のいずれか一項に記載の洗濯機。
【請求項７】
前記排水部は、前記スイッチ本体の下端部よりも下方へ延びている、
請求項６に記載の洗濯機。
【請求項８】
前記スイッチ装置は、電源を入れるための電源入用スイッチ部と、電源を切るための電源切用スイッチ部と、を有する、
請求項１から７のいずれか一項に記載の洗濯機。
【手続補正書】
【提出日】平成30年7月11日(2018.7.11)
【手続補正１】
【補正対象書類名】特許請求の範囲
【補正対象項目名】全文
【補正方法】変更
【補正の内容】
【特許請求の範囲】
【請求項１】
電子機器であって、
他の機器と無線通信による接続を間欠的に実行する無線通信手段と、
前記電子機器の動きに関連するセンサデータを取得するセンサデータ取得手段と、
前記センサデータに基づいて前記電子機器の周期的な動きの周期を取得し、前記無線通信により前記電子機器を前記他の機器と接続する接続タイミングを、前記周期に基づく周期的タイミングに設定する接続タイミング制御手段と、
を備えることを特徴とする電子機器。
【請求項２】
前記電子機器及び前記他の機器は、利用者の互いに異なる位置に装着又は携帯されており、
前記接続タイミング制御手段は、前記センサデータに基づいて、前記利用者の動きに応じた前記電子機器の前記周期的な動きの周期を取得することを特徴とする請求項１に記載の電子機器。
【請求項３】
前記接続タイミング制御手段は、前記電子機器の前記周期的な動きの周期が第１の周期であるとき、前記接続タイミングを、前記第１の周期と異なる第２の周期を有する周期的なタイミングに設定することを特徴とする請求項１又は２に記載の電子機器。
【請求項４】
前記接続タイミング制御手段は、前記第１の周期の値が変化した場合、前記第２の周期の値を変化させることを特徴とする請求項３に記載の電子機器。
【請求項５】
前記接続タイミング制御手段は、前記電子機器の前記周期的な動きの周期が第１の周期であるとき、前記接続タイミングを、前記第１の周期と同じ周期を有する周期的なタイミングに設定することを特徴とする請求項１又は２に記載の電子機器。
【請求項６】
前記接続タイミング制御手段は、
前記センサデータに基づいて前記電子機器と前記他の機器との位置関係を取得し、前記無線通信の電波強度に基づいて、前記位置関係において、前記無線通信における通信状態が安定しているか否かを判定し、
前記第１の周期、及び、前記位置関係における前記通信状態の判定結果に基づいて、前記接続タイミングを、前記位置関係において、前記通信状態が安定している状態にある期間内に設定することを特徴とする請求項５に記載の電子機器。
【請求項７】
前記センサデータ取得手段は、前記電子機器が利用者に装着又は携帯されている場合に、前記利用者の身体の動きに応じた前記電子機器の動きに対応する、加速度センサ、角速度センサ、地磁気センサ及び気圧センサの少なくとも何れかのセンサデータを取得することを特徴とする請求項１乃至６のいずれか一項に記載の電子機器。
【請求項８】
電子機器の制御方法であって、
他の機器と無線通信による接続を間欠的に実行する無線通信工程と、
前記電子機器の動きに関連するセンサデータを取得するセンサデータ取得工程と、
前記センサデータに基づいて前記電子機器の周期的な動きの周期を取得し、前記無線通信により前記電子機器を前記他の機器と接続する接続タイミングを、前記周期に基づく周期的タイミングに設定する接続タイミング制御工程と、
を有することを特徴とする電子機器の制御方法。
【請求項９】
電子機器のコンピュータを、
他の機器と無線通信による接続を間欠的に実行する無線通信手段、
前記電子機器の動きに関連するセンサデータを取得するセンサデータ取得手段、
前記センサデータに基づいて前記電子機器の周期的な動きの周期を取得し、前記無線通信により前記電子機器を前記他の機器と接続する接続タイミングを、前記周期に基づく周期的タイミングに設定する接続タイミング制御手段、
として実行させることを特徴とする電子機器の制御プログラム。
【手続補正２】
【補正対象書類名】明細書
【補正対象項目名】０００６
【補正方法】変更
【補正の内容】
【０００６】
本発明は、
電子機器であって、
他の機器と無線通信による接続を間欠的に実行する無線通信手段と、
前記電子機器の動きに関連するセンサデータを取得するセンサデータ取得手段と、
前記センサデータに基づいて前記電子機器の周期的な動きの周期を取得し、前記無線通信により前記電子機器を前記他の機器と接続する接続タイミングを、前記周期に基づく周期的タイミングに設定する接続タイミング制御手段と、
を備えることを特徴とする。
【手続補正３】
【補正対象書類名】明細書
【補正対象項目名】０００７
【補正方法】変更
【補正の内容】
【０００７】
本発明は、
電子機器の制御方法であって、
他の機器と無線通信による接続を間欠的に実行する無線通信工程と、
前記電子機器の動きに関連するセンサデータを取得するセンサデータ取得工程と、
前記センサデータに基づいて前記電子機器の周期的な動きの周期を取得し、前記無線通信により前記電子機器を前記他の機器と接続する接続タイミングを、前記周期に基づく周期的タイミングに設定する接続タイミング制御工程と、
を有することを特徴とする。
【手続補正４】
【補正対象書類名】明細書
【補正対象項目名】０００８
【補正方法】変更
【補正の内容】
【０００８】
本発明は、
電子機器のコンピュータを、
他の機器と無線通信による接続を間欠的に実行する無線通信手段、
前記電子機器の動きに関連するセンサデータを取得するセンサデータ取得手段、
前記センサデータに基づいて前記電子機器の周期的な動きの周期を取得し、前記無線通信により前記電子機器を前記他の機器と接続する接続タイミングを、前記周期に基づく周期的タイミングに設定する接続タイミング制御手段、
として実行させることを特徴とする。
【手続補正書】
【提出日】平成30年8月2日(2018.8.2)
【手続補正１】
【補正対象書類名】明細書
【補正対象項目名】０１３３
【補正方法】変更
【補正の内容】
【０１３３】
この周波数補正曲線Ｌ３は、周波数をｘ、補正量をｙとしたとき、例えば図１２に示すように、
・ｙ＝−１．９４２ Ln（ｘ）＋１３．８０４
で表わされる。
【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
遊技の進行に伴い所定の演出動作を行う複数の可動役物と、
前記各可動役物夫々の動作を事前決定する事前決定手段と、
前記各可動役物夫々の動作を制御する制御手段と、を有し、
前記制御手段は、前記各可動役物夫々の動作を制御する前に、前記事前決定手段にて事前決定された前記各可動役物夫々の動作の組み合わせに基づいて該組み合わせで動作可能かを動作判定手段により判定し、該動作判定手段にて前記各可動役物夫々を動作させるべきでないと判定された場合には、前記各可動役物のうち優先的に動作させる可動役物は動作に必要な電流値が大きい可動役物である遊技機。
【請求項２】
前記動作判定手段は、前記事前決定手段にて事前決定された前記各可動役物夫々の動作の組み合わせにおける必要な電流値に基づいて、該各可動役物夫々を動作させるべきか否かを判定する請求項１に記載の遊技機。
【請求項３】
前記各可動役物のうち優先的に動作させる可動役物の情報が予め記憶されている可動役物優先動作テーブルをさらに有し、
前記制御手段は、前記動作判定手段にて前記各可動役物夫々を動作させるべきでないと判定された場合には、前記可動役物優先動作テーブルを用いて、優先的に動作させる可動役物の動作を制御してなる請求項１又は２に記載の遊技機。
【請求項４】
前記制御手段は、前記動作判定手段にて前記各可動役物夫々を動作させるべきでないと判定された場合には、前記各可動役物夫々を動作させるべきであると前記動作判定手段にて判定されるまで、優先順位の低い可動役物から順に動作させないように制御する請求項１〜３の何れか１項に記載の遊技機。
【手続補正２】
【補正対象書類名】明細書
【補正対象項目名】０００７
【補正方法】変更
【補正の内容】
【０００７】
請求項１の発明によれば、遊技の進行に伴い所定の演出動作を行う複数の可動役物（図２に示す左上・左下・右下・上・右可動役物４３ａ〜４３ｅ参照）と、
前記各可動役物（図２に示す左上・左下・右下・上・右可動役物４３ａ〜４３ｅ参照）夫々の動作を事前決定する事前決定手段（図５に示すステップＳ１２参照）と、
前記各可動役物（図２に示す左上・左下・右下・上・右可動役物４３ａ〜４３ｅ参照）夫々の動作を制御する制御手段（図７に示すステップＳ２０２、図９，図１１に示すステップＳ３１２，ステップＳ３１３，ステップＳ４００，ステップＳ５００，ステップＳ５０１，ステップＳ５０３、図１２に示すステップＳ６００，ステップＳ６０１、図１４に示すステップＳ６００，ステップＳ６０１，ステップＳ７００参照）と、を有し、
前記制御手段（図７に示すステップＳ２０２、図９，図１１に示すステップＳ３１２，ステップＳ３１３，ステップＳ４００，ステップＳ５００，ステップＳ５０１，ステップＳ５０３、図１２に示すステップＳ６００，ステップＳ６０１、図１４に示すステップＳ６００，ステップＳ６０１，ステップＳ７００参照）は、前記各可動役物（図２に示す左上・左下・右下・上・右可動役物４３ａ〜４３ｅ参照）夫々の動作を制御する前に、前記事前決定手段（図５に示すステップＳ１２参照）にて事前決定された前記各可動役物（図２に示す左上・左下・右下・上・右可動役物４３ａ〜４３ｅ参照）夫々の動作の組み合わせに基づいて該組み合わせで動作可能かを動作判定手段（図４に示すパターン照合テーブルＰＡＭ_ＴＢＬ，図１３に示す可動役物電流値テーブルＭＯＩ_ＴＢＬ参照）により判定し、該動作判定手段（図４に示すパターン照合テーブルＰＡＭ_ＴＢＬ，図１３に示す可動役物電流値テーブルＭＯＩ_ＴＢＬ参照）にて前記各可動役物（図２に示す左上・左下・右下・上・右可動役物４３ａ〜４３ｅ参照）夫々を動作させるべきでないと判定された場合には、前記各可動役物（図２に示す左上・左下・右下・上・右可動役物４３ａ〜４３ｅ参照）のうち優先的に動作させる可動役物は動作に必要な電流値が大きい可動役物であることを特徴としている。
【手続補正３】
【補正対象書類名】明細書
【補正対象項目名】０００８
【補正方法】変更
【補正の内容】
【０００８】
また、請求項２の発明によれば、上記請求項１に記載の遊技機において、前記動作判定手段（図１３に示す可動役物電流値テーブルＭＯＩ_ＴＢＬ参照）は、前記事前決定手段（図５に示すステップＳ１２参照）にて事前決定された前記各可動役物（図２に示す左上・左下・右下・上・右可動役物４３ａ〜４３ｅ参照）夫々の動作の組み合わせにおける必要な電流値に基づいて、該各可動役物（図２に示す左上・左下・右下・上・右可動役物４３ａ〜４３ｅ参照）夫々を動作させるべきか否かを判定することを特徴としている。
【手続補正４】
【補正対象書類名】明細書
【補正対象項目名】０００９
【補正方法】変更
【補正の内容】
【０００９】
さらに、請求項３の発明によれば、上記請求項１又は２に記載の遊技機において、前記各可動役物（図２に示す左上・左下・右下・上・右可動役物４３ａ〜４３ｅ参照）のうち優先的に動作させる可動役物の情報が予め記憶されている可動役物優先動作テーブル（図１０に示す可動役物優先動作テーブルＭＯＰ_ＴＢＬ参照）をさらに有し、
前記制御手段（図７に示すステップＳ２０２、図９，図１１に示すステップＳ３１２，ステップＳ３１３，ステップＳ４００，ステップＳ５００，ステップＳ５０１，ステップＳ５０３、図１２に示すステップＳ６００，ステップＳ６０１、図１４に示すステップＳ６００，ステップＳ６０１，ステップＳ７００参照）は、前記動作判定手段（図４に示すパターン照合テーブルＰＡＭ_ＴＢＬ，図１３に示す可動役物電流値テーブルＭＯＩ_ＴＢＬ参照）にて前記各可動役物（図２に示す左上・左下・右下・上・右可動役物４３ａ〜４３ｅ参照）夫々を動作させるべきでないと判定された場合には、前記可動役物優先動作テーブル（図１０に示す可動役物優先動作テーブルＭＯＰ_ＴＢＬ参照）を用いて、優先的に動作させる可動役物の動作を制御してなることを特徴としている。
【手続補正５】
【補正対象書類名】明細書
【補正対象項目名】００１０
【補正方法】変更
【補正の内容】
【００１０】
またさらに、請求項４の発明によれば、上記請求項１〜３の何れか１項に記載の遊技機において、前記制御手段（図１４に示すステップＳ６００，ステップＳ６０１，ステップＳ７００参照）は、前記動作判定手段（図１３に示す可動役物電流値テーブルＭＯＩ_ＴＢＬ参照）にて前記各可動役物（図２に示す左上・左下・右下・上・右可動役物４３ａ〜４３ｅ参照）夫々を動作させるべきでないと判定された場合には、前記各可動役物（図２に示す左上・左下・右下・上・右可動役物４３ａ〜４３ｅ参照）夫々を動作させるべきであると前記動作判定手段（図１３に示す可動役物電流値テーブルＭＯＩ_ＴＢＬ参照）にて判定されるまで、優先順位の低い可動役物から順に動作させないように制御することを特徴としている。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正書】
【提出日】平成30年7月25日(2018.7.25)
【手続補正１】
【補正対象書類名】特許請求の範囲
【補正対象項目名】全文
【補正方法】変更
【補正の内容】
【特許請求の範囲】
【請求項１】
感圧素子、及び、前記感圧素子と電気的に接続された第一の端子部が形成された半導体基板と、前記第一の端子部と電気的に接続された第二の端子部を含み、前記半導体基板が固定される硬質基板と、を有する圧脈波センサと、
前記第二の端子部と電気的に接続された配線を有し、前記圧脈波センサの前記硬質基板が固定されたフレキシブル基板と、
絶縁材料から構成され、前記圧脈波センサの前記半導体基板を覆って保護する保護層と、を備え、
前記フレキシブル基板は、前記配線に接続されるコネクタと、前記半導体基板の電位と同電位に保持され、前記コネクタと異なる位置において外部に露出する端子と、を含み、
前記外部に露出する端子は、前記保護層と接触しており、
前記半導体基板の、前記感圧素子が形成される感圧面が前記保護層を介して生体の体表面に押圧されて使用される脈波測定装置。
【請求項２】
請求項１記載の脈波測定装置であって、
前記圧脈波センサの前記半導体基板には、一方向に配列された複数の前記感圧素子により構成される感圧素子列と、前記感圧素子列と電気的に接続された前記第一の端子部とが形成され、前記圧脈波センサは、前記一方向が生体の動脈の走行方向に交差する状態で、前記感圧素子列の形成される前記感圧面が、前記保護層を介して前記生体の体表面に押圧されて使用されるものであり、
前記フレキシブル基板には、前記一方向と直交する方向に２つの前記圧脈波センサが並べて固定され、かつ、前記外部に露出する端子を２つ有し、
前記外部に露出する２つの端子は、前記一方向において、前記２つの圧脈波センサの間の領域を挟んで対向する位置に配置されている脈波測定装置。
【請求項３】
請求項１又は２記載の脈波測定装置であって、
前記保護層は、前記圧脈波センサの前記半導体基板、前記硬質基板、及び、前記フレキシブル基板における前記外部に露出する端子を覆う脈波測定装置。
【請求項４】
請求項１〜３のいずれか１項記載の脈波測定装置であって、
前記外部に露出する端子は、前記コネクタに接続される前記配線の一部が露出した部分である脈波測定装置。
【手続補正２】
【補正対象書類名】明細書
【補正対象項目名】０００９
【補正方法】変更
【補正の内容】
【０００９】
本発明の脈波測定装置は、感圧素子、及び、前記感圧素子と電気的に接続された第一の端子部が形成された半導体基板と、前記第一の端子部と電気的に接続された第二の端子部を含み、前記半導体基板が固定される硬質基板と、を有する圧脈波センサと、前記第二の端子部と電気的に接続された配線を有し、前記圧脈波センサの前記硬質基板が固定されたフレキシブル基板と、絶縁材料から構成され、前記圧脈波センサの前記半導体基板を覆って保護する保護層と、を備え、前記フレキシブル基板は、前記配線に接続されるコネクタと、前記半導体基板の電位と同電位に保持され、前記コネクタと異なる位置において外部に露出する端子と、を含み、前記外部に露出する端子は、前記保護層と接触しており、前記半導体基板の、前記感圧素子が形成される感圧面が前記保護層を介して生体の体表面に押圧されて使用されるものである。
【手続補正３】
【補正対象書類名】明細書
【補正対象項目名】００１３
【補正方法】変更
【補正の内容】
【００１３】
図１は、本発明の一実施形態を説明するための生体情報測定装置としての血圧測定装置１００の構成を示すブロック図である。血圧測定装置１００は、例えば手首に装着して用いる手首装着型のものである。血圧測定装置１００は、生体から脈波を測定する脈波測定装置として機能する。
【手続補正書】
【提出日】平成30年7月25日(2018.7.25)
【手続補正１】
【補正対象書類名】特許請求の範囲
【補正対象項目名】全文
【補正方法】変更
【補正の内容】
【特許請求の範囲】
【請求項１】
一方向に配列された複数の感圧素子により構成される感圧素子列と、前記感圧素子列が形成される感圧面の前記一方向における端部に配置され、前記感圧素子列と電気的に接続されたチップ側端子部と、を有する半導体基板を備え、前記半導体基板は、前記感圧面に垂直な方向における厚みが他の部分よりも薄い薄肉部を有し、前記一方向が生体の動脈の走行方向に交差する状態で、前記感圧面が前記生体の体表面に押圧されて使用されるセンサチップと、
凹部を有し、前記凹部の底面に、前記センサチップの前記半導体基板が固定される基板と、を備え、
前記基板の前記凹部の側壁の、前記凹部の底面を基準として所定高さにある面には、前記チップ側端子部と電気的に接続するための基板側端子部が設けられ、
前記チップ側端子部と前記基板側端子部とを接続する導電部材と、
前記導電部材を覆う保護部材と、を更に備える圧脈波センサ。
【請求項２】
請求項１記載の圧脈波センサであって、
前記チップ側端子部は、前記感圧面の前記一方向における両端部にそれぞれ配置された第一の端子部と第二の端子部により構成され、
前記基板側端子部は、前記第一の端子部と電気的に接続するための第三の端子部と、前記第二の端子部と電気的に接続するための第四の端子部とにより構成され、
前記感圧面に垂直な方向からみた平面視において、前記第三の端子部、前記第一の端子部、前記第二の端子部、及び前記第四の端子部はこの順で前記一方向に並んでおり、
前記導電部材は、前記第一の端子部と前記第三の端子部とを接続する第一の導電部材と、前記第二の端子部と前記第四の端子部とを接続する第二の導電部材とにより構成され、
前記保護部材は、前記第一の導電部材と前記第二の導電部材をそれぞれ個別に覆うものである圧脈波センサ。
【請求項３】
請求項１又は２記載の圧脈波センサであって、
前記凹部の底面を基準としたときの、前記チップ側端子部が形成される前記感圧面の高さと、前記基板側端子部が設けられる前記基板の面の高さが同じになっている圧脈波センサ。
【請求項４】
請求項１〜３のいずれか１項記載の圧脈波センサであって、
前記一方向における前記センサチップの端面と前記基板との間に、温度及び湿度による体積変化が前記保護部材よりも少ない材料が埋められている圧脈波センサ。
【請求項５】
請求項１〜４のいずれか１項記載の圧脈波センサと、
前記圧脈波センサによって検出される圧脈波に基づいて生体情報を算出する生体情報算出部と、を備える生体情報測定装置。
【手続補正２】
【補正対象書類名】明細書
【補正対象項目名】００２３
【補正方法】変更
【補正の内容】
【００２３】
本発明の圧脈波センサは、一方向に配列された複数の感圧素子により構成される感圧素子列と、前記感圧素子列が形成される感圧面の前記一方向における端部に配置され、前記感圧素子列と電気的に接続されたチップ側端子部と、を有する半導体基板を備え、前記半導体基板は、前記感圧面に垂直な方向における厚みが他の部分よりも薄い薄肉部を有し、前記一方向が生体の動脈の走行方向に交差する状態で、前記感圧面が前記生体の体表面に押圧されて使用されるセンサチップと、凹部を有し、前記凹部の底面に、前記センサチップの前記半導体基板が固定される基板と、を備え、前記基板の前記凹部の側壁の、前記凹部の底面を基準として所定高さにある面には、前記チップ側端子部と電気的に接続するための基板側端子部が設けられ、前記チップ側端子部と前記基板側端子部とを接続する導電部材と、前記導電部材を覆う保護部材と、を更に備えるものである。